(57)【要約】【課題】検査リストの視認性を悪化させることなく、検査リストの表示領域に関わらず検査レコードの状態を確認することができるよう検査リストを表示する。【解決手段】検査リスト３０は、管理データベースから抽出される検査レコード３２で構成され、管理データベースに蓄積された検査情報とアプリケーションプログラムによって実施される制御の進捗情報３１とを有している。検査リストは、その表示領域に応じて検査レコードの少なくとも一部３９をリスト表示し、リスト表示されない検査レコードのうち、アプリケーションプログラムによって実施される制御の進捗情報を有する検査レコード３４、３５をアイコン表示３６、３７する。【選択図】図３
2018156399.tif 000002
【特許請求の範囲】
【請求項１】
プロセッサと、
メモリと、
表示装置と、
複数の検査レコードに係る医用画像データ及び検査情報を蓄積する管理データベースと、上記メモリに読み込まれ、上記プロセッサにより実行されるプログラムとを格納する記憶装置とを有し、
前記プログラムとして、前記管理データベースに蓄積された医用画像データに所定の制御を実施するアプリケーションプログラムと、前記表示装置に検査リストを表示する検査リスト表示制御プログラムとを有し、
前記検査リストは、前記管理データベースから抽出される検査レコードで構成され、前記管理データベースに蓄積された検査情報と前記アプリケーションプログラムによって実施される制御の進捗情報とを有しており、
前記検査リスト表示制御プログラムは、前記表示装置における前記検査リストの表示領域に応じて前記管理データベースから抽出される検査レコードの少なくとも一部をリスト表示し、リスト表示されない検査レコードのうち、前記アプリケーションプログラムによって実施される制御の進捗情報を有する検査レコードをアイコン表示する表示制御部を有する医用画像処理装置。
【請求項２】
請求項１において、
前記表示制御部は、検査レコードを示すアイコンとして、前記アプリケーションプログラムによって実施される制御の進捗によって異なるアイコンを表示する医用画像処理装置。
【請求項３】
請求項２において、
前記表示制御部は、前記アプリケーションプログラムが検査レコードに対して複数の前記所定の制御を実施している場合、それぞれの制御の進捗に応じた複数の前記アイコンを重ねて表示する医用画像処理装置。
【請求項４】
請求項１において、
前記表示制御部は、前記アイコンを前記検査リストのスクロールバー上に表示する医用画像処理装置。
【請求項５】
請求項４において、
前記表示制御部は、前記アイコンを、当該アイコンにかかる検査レコードをリスト表示させるために前記スクロールバー上のスライダーを移動させる量に応じた位置に配置する医用画像処理装置。
【請求項６】
請求項３において、
前記表示制御部は、複数の前記アイコンを重ねて表示する場合、前記アプリケーションプログラムによって実施される制御の進捗に応じた優先順位で上層から表示する医用画像処理装置。
【請求項７】
請求項２において、
入力装置を有し、
前記表示制御部は、前記表示装置にスクロール制御ボタンを表示し、前記入力装置より前記スクロール制御ボタンが押下されることにより、前記アプリケーションプログラムによって実施される制御の進捗に応じた優先順位で、アイコンで表示されている検査レコードが表示領域内に入るように前記検査リストをスクロールする医用画像処理装置。
【請求項８】
請求項２において、
入力装置を有し、
前記検査リスト表示制御プログラムは、前記入力装置からの前記アイコンへの指示を検知し、前記アイコンに対応する前記アプリケーションプログラムによって実施される制御の進捗と、前記アイコンにかかる検査レコードに対して前記アプリケーションプログラムが実行する制御の内容を変更する制御ボタンとを表示するアプリケーション制御部を有する医用画像処理装置。
【請求項９】
請求項８において、
前記アプリケーション制御部は、前記入力装置からの前記制御ボタンへの指示を検知し、前記アイコンにかかる検査レコードに対して前記アプリケーションプログラムが実行する制御の内容を、指示が検知された前記制御ボタンにかかる制御の内容に変更するよう前記アプリケーションプログラムに出力する医用画像処理装置。
【請求項１０】
請求項１において、
前記検査リスト表示制御プログラムは、新規検査レコードの追加にともなって前記検査リストの前記表示装置への表示を更新する表示更新部を有する医用画像処理装置。
【請求項１１】
請求項１０において、
前記表示制御部は、前記新規検査レコードが緊急検査であり、前記新規検査レコードが前記検査リストにリスト表示されない場合は、緊急検査であることを示すアイコンを表示する医用画像処理装置。
【請求項１２】
請求項１１において、
入力装置を有し、
アプリケーション制御部は、前記入力装置からの緊急検査であることを示すアイコンへの指示を検知し、前記新規検査レコードに対して前記アプリケーションプログラムに割り込み指示し、前記新規検査レコードへの処理を優先的に実行するよう制御を変更する制御ボタンを表示する医用画像処理装置。
【請求項１３】
請求項１〜１２のいずれか一項において、
前記アプリケーションプログラムは、医用画像処理装置がネットワークを通じて接続される他の機器に対して前記管理データベースに蓄積された医用画像データを送信する処理を行う医用画像処理装置。
【発明の詳細な説明】
【技術分野】
【０００１】
本発明は医用画像処理装置に関する。
【背景技術】
【０００２】
近年、医用画像撮像装置、特にＸ線ＣＴ（Computed Tomography）装置やＭＲＩ（Magnetic Resonance Imaging）装置等のモダリティにより生成される医用画像データの容量増大に伴い、医用画像データを病院内外のストレージに格納する取り組みが進んでいる。病院内外のストレージシステムとしては、医用画像データを保存管理するサーバーと記憶管理された医用画像データを表示するクライアント端末を備えるＰＡＣＳ（Picture Archiving and Communication System）が知られている。
【０００３】
医用画像撮像装置によって生成された医用画像データは順次ＰＡＣＳの管理サーバーに送信される。そして、医用画像データの送信状態はディスプレイに表示される検査リストにより進捗確認やその送信条件（送信先・送信の優先順位など）を操作することができる。例えば、特許文献１においては、検査リストに医用画像データの送信状態を確認するための列を追加し、その列に表示されたマークにより医用画像データの送信状態を確認することが記載されている。
【先行技術文献】
【特許文献】
【０００４】
【特許文献１】特開２０１６−１２９５４３号公報
【発明の概要】
【発明が解決しようとする課題】
【０００５】
検査リストは、医用画像撮像装置による検査の進捗状況を把握、管理するためのリストであり、例えば、当該医用画像撮像装置における１日分の検査についてのレコードが登録され、登録されるレコードの数は数１０件に上る。一方、検査リストは限られた大きさのウィンドウに表示せざるを得ないため、一覧で見られるのは検査リストのうちの一部のレコードのみである。表示されていないレコードを見るためには検査リストをスクロールさせるなどして該当のレコードを表示させる必要がある。
【０００６】
特許文献１のように検査リストに新たな列をつくって新たな情報を表示することにより、大元の管理リストである検査リストにおいて当該情報について確認することが可能となり、視認性を高めることができる。しかしながら、ウィンドウに表示されているレコードについては確かにその視認性を高めることができるものの、ウィンドウに表示されていないレコードの検査において異常が発生していたとしても、ユーザーが気づくことができず、そのまま放置されるおそれがある。
【０００７】
また、検査リストから一つのレコードを指定し、画像送信についての制御・管理専用画面に移行して、専用画面にて送信状態を確認する方法では、検査リストから制御・管理専用画面へ遷移するユーザー操作が必要となる。さらにユーザーが送信状態を確認し、エラーがあった場合には優先順位を変更して再送信することになるが、このように多くの手間を生ずるとともに、追加画面のウィンドウをディスプレイに表示させることが必要となり、検査リストの視認性が悪化するおそれがある。
【０００８】
このため、検査リストの視認性を悪化させることなく、検査リストの表示領域に関わらず検査レコードの状態を確認することができるよう検査リストを表示することが望まれる。さらに、追加画面を表示することなく、検査リストから制御の進捗に応じて、簡便に制御内容を変更できるようにすることが望ましい。
【課題を解決するための手段】
【０００９】
プロセッサと、メモリと、表示装置と、複数の検査レコードに係る医用画像データ及び検査情報を蓄積する管理データベースと、メモリに読み込まれ、プロセッサにより実行されるプログラムとを格納する記憶装置とを有する医用画像処理装置であって、プログラムとして、管理データベースに蓄積された医用画像データに所定の制御を実施するアプリケーションプログラムと、表示装置に検査リストを表示する検査リスト表示制御プログラムとを有し、検査リストは、管理データベースから抽出される検査レコードで構成され、管理データベースに蓄積された検査情報とアプリケーションプログラムによって実施される制御の進捗情報とを有しており、検査リスト表示制御プログラムは、表示装置における検査リストの表示領域に応じて管理データベースから抽出される検査レコードの少なくとも一部をリスト表示し、リスト表示されない検査レコードのうち、アプリケーションプログラムによって実施される制御の進捗情報を有する検査レコードをアイコン表示する表示制御部を有する。
【発明の効果】
【００１０】
検査リストの視認性を悪化させることなく、検査リストの表示領域に関わらず検査レコードの状態を確認することができるよう検査リストを表示する。上記した以外の課題、構成及び効果は、以下の実施形態の説明により明らかにされる。
【図面の簡単な説明】
【００１１】
【図１】医用画像処理装置のブロック図である。
【図２】医用画像処理装置の記憶装置に格納されるプログラム例である。
【図３】検査リストの表示方式を説明する図である。
【図４】表示装置に表示される検査リストの例である。
【図５】送信状態アイコンテーブルの例である。
【図６】送信先テーブルの例である。
【図７】検査リストの表示を行う表示制御プログラムのフローチャートである。
【図８】アイコンの表示位置を説明するための図である。
【図９】アイコンから送信制御を行う制御プログラムのフローチャートである。
【図１０】検査レコードが追加された場合に、検査リストの表示を更新するフローチャートである。
【図１１】緊急検査送信処理のフローチャートである。
【図１２】スクロール制御機能を有する検査リストの表示例である。
【発明を実施するための形態】
【００１２】
図１は医用画像処理装置１のブロック図である。医用画像処理装置１はネットワーク２を介して、医用画像撮像装置３、ワークステーション４、管理サーバー５と互いに通信可能に接続されている。ネットワーク２に接続される機器については特に限定はないが、医用画像処理装置１は医用画像撮像装置３で取得される医用画像データを取得し、検査、診断のために蓄積、管理する役割を果たす。医用画像撮像装置３はＸ線診断装置、Ｘ線ＣＴ装置、ＭＲＩ装置、超音波診断装置などである。医用画像データに対して高度な画像処理が必要である場合には、演算能力の高いプロセッサを備えたワークステーション４に当該医用画像を送付する。また、検査、診断の終了した医用画像データは管理サーバー５に送付して長期保管し、自らの記憶装置からは削除する。このように、医用画像処理装置１は、他の機器と医用画像データ等のやり取りを行う必要がある。
【００１３】
医用画像処理装置１は、内部バス１８により互いに通信可能に接続されるプロセッサ１０、メモリ１１、表示装置１２、入力装置１３、記憶装置１４、通信インタフェース１７を有している。また、記憶装置１４には、プログラム１５と医用画像関連データを蓄積する管理データベース１６とが格納されている。記憶装置１４に格納されているプログラムはメモリ１１に読み出され、プロセッサ１０により実行される。入力装置１３はキーボード、マウスなどのユーザーの意図を入力するための装置である。表示装置１２と入力装置１３とが一体化したタッチパネル機能付きフラットパネルディスプレイのようなものであってもよい。医用画像処理装置１は通信インタフェース１７により、ネットワーク２と接続されている。
【００１４】
管理データベース１６は、医用画像データ（断層像、ボリュームデータ等）と当該医用画像データに対応する検査情報とを関連付けて保存する。さらに、医用画像データや検査情報を送信する送信先の設定情報なども保存してもよい。
【００１５】
図２に記憶装置１４に格納されるプログラム１５の例を示す。検査リスト表示プログラム２０は医用画像撮像装置３における検査の進捗状況を把握、管理するためのリストである検査リストを表示し、また検査リストから直接的に特定の制御を実施可能とするプログラムであり、以下で詳細に説明する。検査リスト表示プログラム２０は、表示制御部２１、表示更新部２２、アプリケーション制御部２３を含む。医用画像送信制御プログラム２４、コンピュータ診断支援プログラム２５、医用画像再構成プログラム２６は、検査リストから実施する特定の制御を実施するアプリケーションプログラムの例である。医用画像送信制御プログラム２４は、管理データベース１６に保存された医用画像データをネットワーク２経由で他の機器に送信する制御を行う。コンピュータ診断支援プログラム２５は、例えば医用画像データから病巣候補を検出する等の処理を行う。また、医用画像再構成プログラム２６は、例えばＸ線ＣＴ装置などで被検体に金属が含まれている場合に金属アーチファクトが発生するが、このような金属アーチファクトを低減するよう特別な画像処理を行う。
【００１６】
以下の実施例においては、検査リストから実施する特定の制御として医用画像送信制御を行う場合を例にとって説明する。
【００１７】
まず、検査リストについて説明する。医用画像撮像装置が撮像した医用画像データは一般的にＤＩＣＯＭ（Digital Imaging and Communication in Medicine）規格に準拠して管理、保存される。ＤＩＣＯＭ規格では、医用画像データは階層構造で管理される。最上層が「被験者」階層であり、続いて「検査」階層、「シリーズ」階層がある。これに限定するものではないが、検査リストの１レコードはＤＩＣＯＭ規格における「検査」単位で作成されるものとする。検査リストは、検査リスト表示プログラム２０における表示制御部２１に設定されているソート条件や絞り込み条件に従って管理データベースに保存されている検査情報から抽出され、検査情報を取得・表示する。加えて、本実施例においては、検査リストの項目の一部として、特定の制御に関する情報、ここでは医用画像の送信制御、進捗に関する情報を含む。このような情報は、管理データベースに含まれている情報ではなく、検査リスト表示プログラム２０によって収集され、表示されるものである。
【００１８】
図３を用いて本実施例における検査リスト３０の表示方式を説明する。表示装置に表示される検査リスト３０には、管理データベースに含まれない送信制御、進捗を示す欄３１が含まれている。表示装置に表示される検査リスト３０は検査リストに表示されるべきレコードとして抽出された全レコード３２の一部に過ぎない。全レコード３２のうち、表示装置に表示されているレコード３９に含まれる送信情報を有するレコード３３については、検査リスト３０の欄３１の内容を確認することによって送信状況を確認でき、かつここから送信状況に応じた送信制御が可能である。
【００１９】
一方、表示装置への表示範囲に含まれないレコードについてはスクロールバー３８を使って表示装置に表示させることは可能であるが、それだけでは全体状況が把握できない。このため、表示装置への表示範囲に含まれないレコードについてはアイコンを用いて表示する。例えば、表示範囲には含まれないが、送信情報を有するレコード３４は、表示装置に表示される検査リスト３０上にアイコン３６によってその送信状況が表示される。同様に表示範囲には含まれないが、送信情報を有するレコード３５は、表示装置に表示される検査リスト３０上にアイコン３７によってその送信状況が表示される。また、これらアイコンから送信状況に応じた送信制御を可能とする。これにより、検査リストに含まれる全レコードについて、表示装置への表示範囲に含まれるか否かにかかわらず、送信状況を確認でき、送信状況に応じた送信制御を可能とすることができる。
【００２０】
ユーザーは検査リストから検査レコードを指定し送信要求を出す。送信要求を受けて医用画像送信制御プログラム２４（図２参照）は、指定された検査レコードに対応する医用画像データの送信を実施するとともに、送信要求を受けた各検査レコードに対して送信状態を付与する。送信状態は、例えば、現在医用画像データを送信している「送信中」、現在送信中の医用画像データの送信完了後に送信を実施する「送信準備」、医用画像データの送信をユーザーの指示により一時中断した「送信中断」、送信中にエラーが発生し、送信を中断している「送信エラー」、送信が完了した「送信完了」に分類される。また、送信準備は原則として送信要求を受けた順番で送信の優先度が付与されるものとする。
【００２１】
図４を用いて表示装置に表示される検査リストについて説明する。行４１に検査リストの項目が表示されている。項目は任意に定めてよいが、検査レコードに関して管理データベースに格納されている検査情報の他に、特定の制御（ここでは、医用画像データの送信制御）に関する情報３１が含まれている。本例では、「送信先Ａ」「送信先Ｂ」に対する欄を設け、それぞれに対する送信状態が表示されるようになっている。ここで、「送信先Ａ」、「送信先Ｂ」とはネットワークを介して接続されているワークステーションや管理サーバーのことを指す。例えば、検査ＩＤが「xxx12」のレコードは、送信先Ａに対しては送信準備中であり、送信先Ｂに対しては送信完了していることが示されている。これに加えて、検査リストの表示範囲に含まれないレコードにおいて、送信情報を有するレコードに対応するアイコン４２〜４８がスクロールバー上に配置されている。アイコンがスクロールバー上に配置されるのは、表示されている検査リストの文字と極力被らないようにする配慮であり、この形態に限定されるものではない。後述するように、アイコンは「送信先」と「送信状態」についての情報も表示される。ここでは、各アイコンのマークで送信状態を表示し、色で送信先を示している。図では、アイコン４５及びアイコン４７は黒地表示され、これは送信先Ａに対するものであることを示し、白地表示された他のアイコンは送信先Ｂに対するものである。また、アイコン４７とアイコン４８とは横にずれた形で２つのアイコンが重複させることにより、同じ検査レコードについてのものであることを示している。上層アイコン４７が送信先Ａに対する送信状態、下層アイコン４８が送信先Ｂに対する送信状態を示している。
【００２２】
管理データベースには、図５に示す送信状態アイコンテーブル５０、図６に示す送信先テーブル６０が格納されている。これらを管理データベースから参照して、各送信先に対し、各送信状態に対応したアイコンで送信先と送信状態を表示する。これらは一例であり、送信先テーブルの「表示色」は互いに識別しやすい色であればどのような色でもよく、また、送信先が増えれば、それに応じて適宜、表示色を割り当てる。また、一つのレコードに複数のアイコンを付する場合、アイコンの重ね方は送信状態に基づき定めるものとする。すなわち、送信エラー＞送信中＞送信準備[1]＞送信準備[2]＞・・・＞送信中断＞送信完了の順に上層に配置するようにする。これは、ユーザーが送信状態を受けて何らかの制御を実施する可能性が高いと想定されるものからより上層に配置するようにするものである。
【００２３】
検査リストの表示は検査リスト表示プログラム２０の表示制御部２１（図２参照）によって実行される。表示制御部２１の処理フローを図７に示す。まず、所定のソート条件や絞り込み条件に従って管理データベースに保存されている検査情報から検査リストに表示する対象となる検査レコードを抽出する（Ｓ７１）。次に抽出された検査レコードに対して送信情報を入手する（Ｓ７２）。医用画像データの送信は医用画像送信制御プログラム２４が実行しており、医用画像送信制御プログラム２４が実行予定の送信処理のステータスを入手することになる。次に、検査リストを表示する表示領域を特定する（Ｓ７３）。検査リストは表示装置に視認性高く表示されることが望ましい。このため、表示領域の大きさに応じてリスト形式で表示される検査レコードの数も増減する。したがって、検査リストの表示領域にあわせ、検査レコードの表示形態の仕分けを行う（Ｓ７４）。例えば、図８に示すように、検査リストに表示する対象となる全レコード３２に対して、レコード群９０が表示領域にリスト形式で表示される検査レコード、レコード群９１，９２がアイコン形式で表示される検査レコード（但し、送信情報をもつレコードに限る）となる。
【００２４】
レコード群９０は、表示領域内にリスト形式で表示される（Ｓ７５）。一方、表示領域外となるレコード群９１，９２には以下の処理が行われる。まず、アイコン表記する、すなわち送信情報をもつ一つの検査レコードを特定する（Ｓ７６）。検査レコードの送信情報から管理データベースに格納されている送信状態アイコンテーブル５０、送信先テーブル６０を参照することにより、当該検査レコードの送信情報に相当するアイコンを決定する（Ｓ７７）。次にアイコンを配置する位置を決定する（Ｓ７８）。アイコンを認識したユーザーは詳細情報を確認するため、スクロールバー上のスライダーを制御して詳細をリスト形式で確認したいと思うかもしれない。この場合、アイコンにかかる検査レコードをリスト表示させるためにスクロールバー上のスライダーを移動させる量に応じた位置に当該アイコンを配置すれば便利である。図８を使って説明する。
【００２５】
検査レコード群９１（Ａ個の検査レコードからなるものとする）のうち、アイコン表記する検査レコード８８はＸ番目の検査レコードであったとする。このとき検査レコード８８に対応するアイコン８３を以下の関係を満たすように配置する。
ｘ／ａ＝Ｘ／Ａ
ただし、ｘは検査リストの上端８６からアイコン８３までの距離、ａは検査リストの上端８６からスライダー８５までの距離とする。同様に、検査レコード群９２（Ｂ個の検査レコードからなるものとする）のうち、アイコン表記する検査レコード８９はＹ番目の検査レコードであったとする。このとき検査レコード８９に対応するアイコン８４を以下の関係を満たすように配置する。
ｙ／ｂ＝Ｙ／Ｂ
ただし、ｙはスライダー８５からアイコン８４までの距離、ｂはスライダー８５から検査リストの下端８７までの距離とする。
【００２６】
なお、アイコン配置位置は図８の例に限定されるものではなく、例えば、アイコンを均等に配置するものであってもよく、あるいは表記が必要なアイコンの数に応じて、多数の場合は均等配置、少数の場合はレコードの順番に応じた配置とするなど表示方法を切り替えるようにしてもよい。
【００２７】
次にアイコンが複数あり、アイコン同士を重ねて表示する場合には、アイコンの表示順位を特定する（Ｓ７９）。表示順位は先に説明したように、アイコンの送信状態に応じて決定される。重ねて表示する場合としては、一つの検査レコードに対して複数のアイコンを表示する必要がある場合（横方向の重なり）と表示を要するアイコンが検査リストの表示領域に比して多いために重なる場合（縦方向の重なり）とがあるが、いずれの場合も同じ順位付けがなされる。
【００２８】
次に、表示領域外であって送信情報を有する検査レコードが他にあるかどうかを確認する（Ｓ８０）。存在する場合は、ステップＳ７６に戻り当該検査レコードに対してＳ７７〜Ｓ７９の処理を行う。送信情報を有する表示領域外の検査レコードが他になくなれば、検査リスト上に送信情報を有する表示領域外の検査レコードに対応するアイコンを表示する（Ｓ８１）。
【００２９】
表示装置にリスト表示された検査レコードについての送信制御は、検査リストの検査ＩＤを指定することで実行できる。本実施例では、アイコン表示された検査レコードに対しても、アイコンから送信制御が実行できるようにする。アイコンからの送信制御は検査リスト表示プログラム２０のアプリケーション制御部２３（図２参照）によって実行される。アプリケーション制御部２３の処理フローを図９に示す。まず、アイコンへの指示を検知する（Ｓ１０１）。例えば、ユーザーがアイコン上でマウスを右クリックするといった動作を行ったことを検知する。次に、対象のアイコンの検査レコードを検索し、その送信状態を判定する（Ｓ１０２）。アイコンの送信状態に応じて、送信状態の詳細と送信状態を変更する制御ボタンを表示する（Ｓ１０３〜Ｓ１０６）。
【００３０】
送信中アイコンの場合は、例えばその詳細情報として送信先と送信の進捗（例えば、１００枚中５０枚の画像を送付した、５０％の画像を送付した等）とを表示するとともに、送信中断要求を行う送信中断ボタン２０１、送信キャンセル要求を行う送信キャンセルボタン２０２が表示される（Ｓ１０３）。送信準備アイコンの場合は、例えばその詳細情報として送信先を表示するとともに、送信順位繰り上げを行う送信繰り上げボタン２１１、送信順位繰り下げを行う送信繰り下げボタン２１２、送信キャンセル要求を行う送信キャンセルボタン２１３が表示される（Ｓ１０４）。送信繰り上げボタン２１１が押下された場合は、同じ送信先に対して送信準備の順位が繰り上げられ、送信繰り下げボタン２１２が押下された場合は、同じ送信先に対して送信準備の順位が繰り下げられる。送信準備が第１位の場合には送信繰り上げボタン２１１は表示されず、最下位の場合には送信繰り下げボタン２１２は表示されないようにする。送信中断アイコンの場合は、例えばその詳細情報として送信先と送信の進捗とを表示するとともに、送信再開要求を行う送信再開ボタン２２１、送信キャンセル要求を行う送信キャンセルボタン２２２が表示される（Ｓ１０５）。送信エラーアイコンの場合は、例えばその詳細情報として送信先、送信の進捗、エラーコードを表示するとともに、送信再開要求を行う送信再開ボタン２３１、送信キャンセル要求を行う送信キャンセルボタン２３２が表示される（Ｓ１０６）。
【００３１】
表示された制御ボタンがユーザーによって操作されたことを検知すると（Ｓ１０７）、プログラムはその要求を医用画像送信制御プログラム２４（図２参照）に出力する（Ｓ１０８）。医用画像送信制御プログラム２４は、受信した送信制御要求に応じて、送信制御を実行する。
【００３２】
医用画像の処理ステータスが変化すると検査レコードが更新される。検査レコードの更新を受けて、表示更新部２２は表示する検査リスト、アイコンの更新を行う（図２参照）。表示更新部２２は、制御の進捗情報の更新のみならず、表示条件の変更をトリガとしても検査リスト、アイコンの更新を行う。表示条件の変更のトリガには、検査レコードを抽出するソートや絞り込み条件の変更、新たな検査レコードの追加、検査レコードの削除、検査リストのスクロール、検査リストの表示領域の大きさ変更などが含まれる。これらのトリガを受けての表示内容の変更は、図７のフローにしたがって行われる。
【００３３】
第１の変形例について説明する。本変形例においては、検査リスト表示プログラム２０が、緊急検査判断部を備え、緊急検査判断部は、管理データベース１６に新規登録された検査レコードが、緊急検査か通常検査かの判断を行う。この判断は、検査情報に含まれる撮影プロトコールに基づいて判断できる。図１０に検査レコードが新規追加された場合の検査リストの表示を更新するフローチャートを示す。
【００３４】
新規検査レコードが追加されると（Ｓ３０１）、最初に緊急検査判断部により緊急判定が行われる（Ｓ３０２）。緊急／通常の如何にかかわらず、検査リスト、アイコンの表示の更新が行われるが、検査レコードが緊急検査であり、当該検査レコードが検査リストの表示領域外である場合には、緊急検査アイコン３５０により表示される。表示更新処理自体は図７のフローにしたがって行われ、アイコン決定ステップ（Ｓ７７）において、検査レコードが緊急検査の場合、緊急検査アイコン３５０を表示するということになる。アイコンに対して右クリックなどの操作が行われ、操作されたアイコンが緊急検査アイコンであった場合は、制御プログラムは最優先送信制御ボタン３５１を表示する（Ｓ３０４，Ｓ３０５）。表示された最優先送信制御ボタンがユーザーによって操作されたことを検知すると（Ｓ３０６）、プログラムはその要求を医用画像送信制御プログラム２４（図２参照）に出力する（Ｓ３０７）。医用画像送信制御プログラム２４は、受信した送信制御要求に応じて、送信制御を実行する。
【００３５】
図１１に緊急検査送信処理のフローチャートを示す。まず、緊急検査の送信要求を検知する（Ｓ４０１）とアプリケーション制御部２３は医用画像送信制御プログラム２４に、送信状態が送信中または送信準備となっている検査レコードがあるかどうかを問い合わせる（Ｓ４０２）。送信中または送信準備となっている検査レコードが存在する場合、アプリケーション制御部２３は、それらの検査レコードに対する送信中断要求（Ｓ４０３）、緊急検査の送信順番を最先に入れ替えるよう入れ替え要求（Ｓ４０４）、その後送信中断要求を出した検査レコードに対する送信準備要求（Ｓ４０５）を医用画像送信制御プログラム２４に出力する。その後、医用画像送信制御プログラム２４は送信順番が最先となった緊急検査を送信し（Ｓ４０６）、その後は送信順番に従った送信処理がなされる。
【００３６】
表示制御部２１は、図１１に示した緊急検査送信処理を実行している間、アイコンを明滅して表示することで、緊急検査送信処理の進捗や結果を表示する追加画面を表示することなく、スクロールバー上で確認することができる。
【００３７】
第２の変形例について説明する。第２の変形例は、検査リストにスクロール制御機能を設ける。この場合、表示制御部２１は検査リストに図１２に示すスクロール制御ボタン５００，５０１を付して表示する。スクロール制御ボタン５００または５０１が押下されると、優先順位順に、アイコンで表示されている検査レコードが表示領域内に入るように検査リストをスクロールし、リスト形式で表示する。優先順位は送信状態に基づいて定めており、例えば、緊急検査＞送信エラー＞送信中＞送信準備[1]＞送信準備[2]＞・・・＞送信中断の順とする。図１２の場合であれば、スクロール制御ボタン５００または５０１を押下することにより、アイコン４７に対応する検査レコードがリスト表示されるように、検査リストがスクロールされる。このように、検査リストの表示領域にリスト表示されていない検査レコードについても、検査リストの順番を変更することなく１回の操作で重要性の高い案件から詳細確認することが可能になる。
【００３８】
また、優先順位の付し方は送信状態に限定されない。スクロール制御機能に、医用画像送信制御プログラムで保持している送信準備の検査ごとに画像枚数と画像サイズ、種類から、医用画像データの送信量を簡易的に算出する機能を持たせ、優先順位を送信量に基づいて定めてもよい。
【００３９】
以上、医用画像の送信制御を例に実施例を説明したが、本発明はこれに限定されるものではない。例えば、コンピュータ診断支援プログラム２５で実行されるコンピュータ診断支援や医用画像再構成プログラム２６で実行される、金属アーチファクト低減再構成処理など演算処理が長時間かかるものがある。このような処理について検査リストに進捗を示す項目を追加し、検査リストの表示領域に含まれない検査レコードについては所定のアイコンを設定して表示するようにしてもよい。例えば、長時間かかる処理の演算部から、それぞれの処理経過や残時間を取得し、処理エラーの発生状況、処理が完了する順番を示すアイコンを設ける。
【符号の説明】
【００４０】
１：医用画像処理装置、２：ネットワーク、３：医用画像撮像装置、４：ワークステーション、５：管理サーバー、１０：プロセッサ、１１：メモリ、１２：表示装置、１３：入力装置、１４：記憶装置、１５：プログラム、１６：管理データベース、１７：通信インタフェース、１８：内部バス、３０：検査リスト、５０：送信状態アイコンテーブル、６０：送信先テーブル。
【図１】
2018156399.tif 000003
【図２】
2018156399.tif 000004
【図３】
2018156399.tif 000005
【図４】
2018156399.tif 000006
【図５】
2018156399.tif 000007
【図６】
2018156399.tif 000008
【図７】
2018156399.tif 000009
【図８】
2018156399.tif 000010
【図９】
2018156399.tif 000011
【図１０】
2018156399.tif 000012
【図１１】
2018156399.tif 000013
【図１２】
2018156399.tif 000014